【手続補正書】
【提出日】平成28年12月7日(2016.12.7)
【手続補正１】
【補正対象書類名】特許請求の範囲
【補正対象項目名】全文
【補正方法】変更
【補正の内容】
【特許請求の範囲】
【請求項１】
マルチビュービデオデータを復号するための方法であって、
現在予測ユニット（ＰＵ）を複数のサブＰＵに分割することと、ここにおいて、前記現在ＰＵは現在ピクチャ中にある、
デフォルト動きパラメータを決定することと、
前記複数のサブＰＵからのサブＰＵを特定の順序で処理することと、
ここにおいて、前記複数のサブＰＵからの各それぞれのサブＰＵに関して、前記それぞれのサブＰＵのための参照ブロックが動き補償予測を使用してコーディングされない場合、前記順序の任意の後のサブＰＵのための参照ブロックは動き補償予測を使用してコーディングされるという後続の決定に応答して、前記それぞれのサブＰＵの前記動きパラメータは設定されない、ここにおいて、前記サブＰＵのうちの少なくとも１つのための参照ブロックは動き補償予測を使用してコーディングされない、ここにおいて、前記サブＰＵを処理することは、前記複数のサブＰＵからの各それぞれのサブＰＵに関して、
前記それぞれのサブＰＵのための参照ブロックを決定することと、ここにおいて、参照ピクチャは前記それぞれのサブＰＵのための前記参照ブロックを含む、
前記それぞれのサブＰＵのための前記参照ブロックが動き補償予測を使用してコーディングされる場合、前記それぞれのサブＰＵのための前記参照ブロックの動きパラメータに基づいて、前記それぞれのサブＰＵの動きパラメータを設定することと、
前記それぞれのサブＰＵのための前記参照ブロックが動き補償予測を使用してコーディングされない場合、前記それぞれのサブＰＵの前記動きパラメータを前記デフォルト動きパラメータに設定することと
を備える、
前記現在ＰＵの候補リスト中に候補を含めることと、ここにおいて、前記候補は前記複数のサブＰＵの前記動きパラメータに基づく、
前記候補リスト中の選択された候補を示すシンタックス要素をビットストリームから取得することと、
前記現在ＰＵのための予測ブロックを再構成するために、前記選択された候補の動きパラメータを使用することと
を備える、方法。
【請求項２】
ビデオデータを符号化する方法であって、
現在予測ユニット（ＰＵ）を複数のサブＰＵに分割することと、ここにおいて、前記現在ＰＵは現在ピクチャ中にある、
デフォルト動きパラメータを決定することと、
前記複数のサブＰＵからのサブＰＵを特定の順序で処理することと、
ここにおいて、前記複数のサブＰＵからの各それぞれのサブＰＵに関して、前記それぞれのサブＰＵのための参照ブロックが動き補償予測を使用してコーディングされない場合、前記順序内の任意の後のサブＰＵのための参照ブロックは動き補償予測を使用してコーディングされるという後続の決定に応答して、前記それぞれのサブＰＵの前記動きパラメータは設定されない、ここにおいて、前記サブＰＵのうちの少なくとも１つのための参照ブロックは動き補償予測を使用してコーディングされない、ここにおいて、前記サブＰＵを処理することは、前記複数のサブＰＵからの各それぞれのサブＰＵに関して、
前記それぞれのサブＰＵのための参照ブロックを決定することと、ここにおいて、参照ピクチャは前記それぞれのサブＰＵのための前記参照ブロックを含む、
前記それぞれのサブＰＵのための前記参照ブロックが動き補償予測を使用してコーディングされる場合、前記それぞれのサブＰＵのための前記参照ブロックの動きパラメータに基づいて、前記それぞれのサブＰＵの動きパラメータを設定することと、
前記それぞれのサブＰＵのための前記参照ブロックが動き補償予測を使用してコーディングされない場合、前記それぞれのサブＰＵの前記動きパラメータを前記デフォルト動きパラメータに設定することと
を備える、
前記現在ＰＵの候補リスト中に候補を含めることと、ここにおいて、前記候補は前記複数のサブＰＵの前記動きパラメータに基づく、
前記候補リスト中の選択された候補を示すシンタックス要素をビットストリーム内でシグナリングすることと
を備える、方法。
【請求項３】
前記参照ピクチャが前記現在ピクチャとは異なるビュー中にあり、
前記それぞれのサブＰＵのための前記参照ブロックを決定することが、前記現在ＰＵの視差ベクトルに基づいて前記参照ピクチャ中の参照サンプルロケーションを決定することを備え、ここにおいて、前記それぞれのサブＰＵのための前記参照ブロックは前記参照サンプルロケーションをカバーする請求項１または２に記載の方法。
【請求項４】
前記現在ピクチャが深度ビューコンポーネントであり、前記参照ピクチャが、前記現在ピクチャと同じビューおよびアクセスユニット中のテクスチャビューコンポーネントであり、
前記それぞれのサブＰＵのための前記参照ブロックを決定することが、前記それぞれのサブＰＵのための前記参照ブロックが前記それぞれのサブＰＵとコロケートされた、前記参照ピクチャのＰＵであると決定することを備える
請求項１または２に記載の方法。
【請求項５】
前記現在ピクチャが深度ビューコンポーネントであり、前記参照ピクチャが、前記現在ピクチャと同じビューおよびアクセスユニット中のテクスチャビューコンポーネントであり、
前記デフォルト動きパラメータを決定することが、前記デフォルト動きパラメータを、前記現在ＰＵとコロケートされた、前記現在ＰＵと同じサイズを有する、前記参照ピクチャ中にある参照ブロックのピクセルをカバーするブロックに関連付けられた動きパラメータに設定することを備える
請求項１または２に記載の方法。
【請求項６】
前記ピクセルが前記参照ブロックの中心ピクセルである、請求項５に記載の方法。
【請求項７】
ＰＵレベル動きベクトル候補に基づいて、空間マージ候補を前記候補リスト中に含めるかどうかを決定することをさらに備え、ここにおいて、前記ＰＵレベル動きベクトル候補は、前記デフォルト動きパラメータと同じ動きパラメータを指定する、請求項１または２に記載の方法。
【請求項８】
前記デフォルト動きパラメータがデフォルト動きベクトルとデフォルト参照インデックスとを含み、
前記デフォルト動きパラメータを決定することが、
デフォルト動きベクトルをゼロ動きベクトルに設定することと、
前記デフォルト参照インデックスを、０、または現在参照ピクチャリスト中の第１の利用可能な時間的参照ピクチャに設定することと
を備える、請求項１または２に記載の方法。
【請求項９】
前記デフォルト動きパラメータを決定することが、前記複数のサブＰＵのラスタ走査順序で前記第１のサブＰＵが利用可能な動きパラメータを有すると決定することに応答して、前記デフォルト動きパラメータを前記複数のサブＰＵの前記ラスタ走査順序で前記第１のサブＰＵの前記利用可能な動きパラメータに設定することを備える、請求項１または２に記載の方法。
【請求項１０】
前記デフォルト動きパラメータを決定することが、前記それぞれのサブＰＵを含むサブＰＵの行の前記第１のサブＰＵが利用可能な動きパラメータを有すると決定することに応答して、前記デフォルト動きパラメータを、前記それぞれのサブＰＵを含むサブＰＵの前記行の前記第１のサブＰＵの前記利用可能な動きパラメータに設定することを備える、請求項１または２に記載の方法。
【請求項１１】
前記デフォルト動きパラメータが前記複数のサブＰＵ中の各サブＰＵに関して同じである、請求項１または２に記載の方法。
【請求項１２】
前記デフォルト動きパラメータを決定することが、
前記現在ＰＵの予測ブロックと同じサイズを有する、前記参照ピクチャ中の参照ブロックを決定することと、
前記参照ブロックのサブＰＵの中から、前記参照ブロックの中心ピクセルに最も近いサブＰＵを決定することと、
前記参照ブロックの前記決定されたサブＰＵの動きパラメータから前記デフォルト動きパラメータを導出することと
を備える、請求項１または２に記載の方法。
【請求項１３】
前記参照ブロックの前記サブＰＵの各々のサイズが２U×２Uであり、前記参照ブロックの前記中心ピクセルに最も近い前記サブＰＵが、前記参照ブロックの左上サンプルに対して次の座標、
（（（ｎＰＳＷ＞＞（ｕ＋１））−１）＜＜ｕ，（（（ｎＰＳＨ＞＞（ｕ＋１））−１）＜＜ｕ）
ここにおいて、ｎＰＳＷはピクセル中の前記参照ブロックの幅を示し、ｎＰＳＨはピクセル中の前記参照ブロックの高さを示す、
または
（（ｎＰＳＷ＞＞（ｕ＋１））＜＜ｕ，（ｎＰＳＨ＞＞（ｕ＋１））＜＜ｕ）
ここにおいて、ｎＰＳＷはピクセル中の前記参照ブロックの幅を示し、ｎＰＳＨはピクセル中の前記参照ブロックの高さを示す、
を有するピクセルを含む、請求項１２に記載の方法。
【請求項１４】
ビデオデータをコーディングするためのデバイスであって、
現在予測ユニット（ＰＵ）を複数のサブＰＵに分割するための手段と、ここにおいて、前記現在ＰＵは現在ピクチャ中にある、
デフォルト動きパラメータを決定するための手段と、
前記複数のサブＰＵからのサブＰＵを特定の順序で処理するための手段と、ここにおいて、前記複数のサブＰＵからの各それぞれのサブＰＵに関して、前記それぞれのサブＰＵのための参照ブロックが動き補償予測を使用してコーディングされない場合、前記順序の任意の後のサブＰＵのための参照ブロックは動き補償予測を使用してコーディングされるという後続の決定に応答して、前記それぞれのサブＰＵの前記動きパラメータは設定されない、ここにおいて、前記サブＰＵのうちの少なくとも１つのための参照ブロックは動き補償予測を使用してコーディングされない、ここにおいて、前記サブＰＵを処理するための前記手段は、前記複数のサブＰＵからの各それぞれのサブＰＵに関して、
前記それぞれのサブＰＵのための参照ブロックを決定するための手段と、ここにおいて、参照ピクチャは前記それぞれのサブＰＵのための前記参照ブロックを含む、
前記それぞれのサブＰＵのための前記参照ブロックが動き補償予測を使用してコーディングされる場合、前記それぞれのサブＰＵのための前記参照ブロックの動きパラメータに基づいて、前記それぞれのサブＰＵの動きパラメータを設定するための手段と、
前記それぞれのサブＰＵのための前記参照ブロックが動き補償予測を使用してコーディングされない場合、前記それぞれのサブＰＵの前記動きパラメータを前記デフォルト動きパラメータに設定するための手段と
を備える、
前記現在ＰＵの候補リスト中に候補を含めるための手段と、ここにおいて、前記候補は前記複数のサブＰＵの前記動きパラメータに基づく
を備える、デバイス。
【請求項１５】
実行されると、デバイスに、請求項１乃至１３のうちのいずれか１項に記載の方法を実行させる命令を記憶した、非一時的コンピュータ可読データ記憶媒体。
【手続補正２】
【補正対象書類名】明細書
【補正対象項目名】０３５３
【補正方法】変更
【補正の内容】
【０３５３】
[0265]様々な例について説明してきた。これらおよび他の例は、以下の特許請求の範囲内である。
以下に、出願当初の特許請求の範囲に記載された発明を付記する。
［Ｃ１］
マルチビュービデオデータを復号するための方法であって、
現在予測ユニット（ＰＵ）を複数のサブＰＵに分割することと、ここにおいて、前記現在ＰＵは現在ピクチャ中にある、
デフォルト動きパラメータを決定することと、
前記複数のサブＰＵからのサブＰＵを特定の順序で処理することと、
ここにおいて、前記複数のサブＰＵからの各それぞれのサブＰＵに関して、前記それぞれのサブＰＵのための参照ブロックが動き補償予測を使用してコーディングされない場合、前記順序の任意の後のサブＰＵのための参照ブロックは動き補償予測を使用してコーディングされるという後続の決定に応答して、前記それぞれのサブＰＵの前記動きパラメータは設定されない、ここにおいて、前記サブＰＵのうちの少なくとも１つのための参照ブロックは動き補償予測を使用してコーディングされない、ここにおいて、前記サブＰＵを処理することは、前記複数のサブＰＵからの各それぞれのサブＰＵに関して、
前記それぞれのサブＰＵのための参照ブロックを決定することと、ここにおいて、参照ピクチャは前記それぞれのサブＰＵのための前記参照ブロックを含む、
前記それぞれのサブＰＵのための前記参照ブロックが動き補償予測を使用してコーディングされる場合、前記それぞれのサブＰＵのための前記参照ブロックの動きパラメータに基づいて、前記それぞれのサブＰＵの動きパラメータを設定することと、
前記それぞれのサブＰＵのための前記参照ブロックが動き補償予測を使用してコーディングされない場合、前記それぞれのサブＰＵの前記動きパラメータを前記デフォルト動きパラメータに設定することとを備える、
前記現在ＰＵの候補リスト中に候補を含めることと、ここにおいて、前記候補は前記複数のサブＰＵの前記動きパラメータに基づく、
前記候補リスト中の選択された候補を示すシンタックス要素をビットストリームから取得することと、
前記現在ＰＵのための予測ブロックを再構成するために、前記選択された候補の動きパラメータを使用することとを備える、方法。
［Ｃ２］
前記参照ピクチャが前記現在ピクチャとは異なるビュー中にあり、
前記それぞれのサブＰＵのための前記参照ブロックを決定することが、前記現在ＰＵの視差ベクトルに基づいて前記参照ピクチャ中の参照サンプルロケーションを決定することを備え、ここにおいて、前記それぞれのサブＰＵのための前記参照ブロックは前記参照サンプルロケーションをカバーする、Ｃ１に記載の方法。
［Ｃ３］
前記現在ピクチャが深度ビューコンポーネントであり、前記参照ピクチャが、前記現在ピクチャと同じビューおよびアクセスユニット中のテクスチャビューコンポーネントであり、
前記それぞれのサブＰＵのための前記参照ブロックを決定することが、前記それぞれのサブＰＵのための前記参照ブロックが前記それぞれのサブＰＵとコロケートされた、前記参照ピクチャのＰＵであると決定することを備える
Ｃ１に記載の方法。
［Ｃ４］
前記現在ピクチャが深度ビューコンポーネントであり、前記参照ピクチャが、前記現在ピクチャと同じビューおよびアクセスユニット中のテクスチャビューコンポーネントであり、
前記デフォルト動きパラメータを決定することが、前記デフォルト動きパラメータを、前記現在ＰＵとコロケートされた、前記現在ＰＵと同じサイズを有する、前記参照ピクチャ中にある参照ブロックのピクセルをカバーするブロックに関連付けられた動きパラメータに設定することを備える
Ｃ１に記載の方法。
［Ｃ５］
前記ピクセルが前記参照ブロックの中心ピクセルである、Ｃ４に記載の方法。
［Ｃ６］
ＰＵレベル動きベクトル候補に基づいて、空間マージ候補を前記候補リスト中に含めるかどうかを決定することをさらに備え、ここにおいて、前記ＰＵレベル動きベクトル候補は、前記デフォルト動きパラメータと同じ動きパラメータを指定する、Ｃ１に記載の方法。
［Ｃ７］
前記デフォルト動きパラメータがデフォルト動きベクトルとデフォルト参照インデックスとを含み、
前記デフォルト動きパラメータを決定することが、
デフォルト動きベクトルをゼロ動きベクトルに設定することと、
前記デフォルト参照インデックスを、０、または現在参照ピクチャリスト中の第１の利用可能な時間的参照ピクチャに設定することとを備える、Ｃ１に記載の方法。
［Ｃ８］
前記デフォルト動きパラメータを決定することが、前記複数のサブＰＵのラスタ走査順序で前記第１のサブＰＵが利用可能な動きパラメータを有すると決定することに応答して、前記デフォルト動きパラメータを、前記複数のサブＰＵの前記ラスタ走査順序で前記第１のサブＰＵの前記利用可能な動きパラメータに設定することを備える、Ｃ１に記載の方法。
［Ｃ９］
前記デフォルト動きパラメータを決定することが、前記それぞれのサブＰＵを含むサブＰＵの行の前記第１のサブＰＵが利用可能な動きパラメータを有すると決定することに応答して、前記デフォルト動きパラメータを、前記それぞれのサブＰＵを含むサブＰＵの前記行の前記第１のサブＰＵの前記利用可能な動きパラメータに設定することを備える、Ｃ１に記載の方法。
［Ｃ１０］
前記デフォルト動きパラメータが前記複数のサブＰＵ中の各サブＰＵに関して同じである、Ｃ１に記載の方法。
［Ｃ１１］
前記前記デフォルト動きパラメータを決定することが、
前記現在ＰＵの予測ブロックと同じサイズを有する、前記参照ピクチャ中の参照ブロックを決定することと、
前記参照ブロックのサブＰＵの中から、前記参照ブロックの中心ピクセルに最も近いサブＰＵを決定することと、
前記参照ブロックの前記決定されたサブＰＵの動きパラメータから前記デフォルト動きパラメータを導出することとを備える、Ｃ１に記載の方法。
［Ｃ１２］
前記参照ブロックの前記サブＰＵの各々のサイズが２U×２Uであり、前記参照ブロックの前記中心ピクセルに最も近い前記サブＰＵが、前記参照ブロックの左上サンプルに対して次の座標、（（（ｎＰＳＷ＞＞（ｕ＋１））−１）＜＜ｕ，（（（ｎＰＳＨ＞＞（ｕ＋１））−１＜＜ｕ）を有するピクセルを含み、ここにおいて、ｎＰＳＷはピクセル中の前記参照ブロックの幅を示し、ｎＰＳＨはピクセル中の前記参照ブロックの高さを示す、Ｃ１１に記載の方法。
［Ｃ１３］
前記参照ブロックの前記サブＰＵの各々のサイズが２U×２Uであり、前記参照ブロックの前記中心ピクセルに最も近い前記サブＰＵが、前記参照ブロックの左上サンプルに対して次の座標、（（ｎＰＳＷ＞＞（ｕ＋１））＜＜ｕ，（ｎＰＳＨ＞＞（ｕ＋１））＜＜ｕ）を有するピクセルを含み、ここにおいて、ｎＰＳＷはピクセル中の前記参照ブロックの幅を示し、ｎＰＳＨはピクセル中の前記参照ブロックの高さを示す、Ｃ１１に記載の方法。
［Ｃ１４］
ビデオデータを符号化する方法であって、
現在予測ユニット（ＰＵ）を複数のサブＰＵに分割することと、ここにおいて、前記現在ＰＵは現在ピクチャ中にある、
デフォルト動きパラメータを決定することと、
前記複数のサブＰＵからのサブＰＵを特定の順序で処理することと、
ここにおいて、前記複数のサブＰＵからの各それぞれのサブＰＵに関して、前記それぞれのサブＰＵのための参照ブロックが動き補償予測を使用してコーディングされない場合、前記順序内の任意の後のサブＰＵのための参照ブロックは動き補償予測を使用してコーディングされるという後続の決定に応答して、前記それぞれのサブＰＵの前記動きパラメータは設定されない、ここにおいて、前記サブＰＵのうちの少なくとも１つのための参照ブロックは動き補償予測を使用してコーディングされない、ここにおいて、前記サブＰＵを処理することは、前記複数のサブＰＵからの各それぞれのサブＰＵに関して、
前記それぞれのサブＰＵのための参照ブロックを決定することと、ここにおいて、参照ピクチャは前記それぞれのサブＰＵのための前記参照ブロックを含む、
前記それぞれのサブＰＵのための前記参照ブロックが動き補償予測を使用してコーディングされる場合、前記それぞれのサブＰＵのための前記参照ブロックの動きパラメータに基づいて、前記それぞれのサブＰＵの動きパラメータを設定することと、
前記それぞれのサブＰＵのための前記参照ブロックが動き補償予測を使用してコーディングされない場合、前記それぞれのサブＰＵの前記動きパラメータを前記デフォルト動きパラメータに設定することとを備える、
前記現在ＰＵの候補リスト中に候補を含めることと、ここにおいて、前記候補は前記複数のサブＰＵの前記動きパラメータに基づく、
前記候補リスト中の選択された候補を示すシンタックス要素をビットストリーム内でシグナリングすることとを備える、方法。
［Ｃ１５］
前記参照ピクチャが前記現在ピクチャとは異なるビュー中にあり、
前記それぞれのサブＰＵのための前記参照ブロックを決定することが、前記現在ＰＵの視差ベクトルに基づいて前記参照ピクチャ中の参照サンプルロケーションを決定することを備え、ここにおいて、前記それぞれのサブＰＵのための前記参照ブロックは前記参照サンプルロケーションをカバーするＣ１４に記載の方法。
［Ｃ１６］
前記現在ピクチャが深度ビューコンポーネントであり、前記参照ピクチャが、前記現在ピクチャと同じビューおよびアクセスユニット中のテクスチャビューコンポーネントであり、
前記それぞれのサブＰＵのための前記参照ブロックを決定することが、前記それぞれのサブＰＵのための前記参照ブロックが前記それぞれのサブＰＵとコロケートされた、前記参照ピクチャのＰＵであると決定することを備える
Ｃ１４に記載の方法。
［Ｃ１７］
前記現在ピクチャが深度ビューコンポーネントであり、前記参照ピクチャが、前記現在ピクチャと同じビューおよびアクセスユニット中のテクスチャビューコンポーネントであり、
前記デフォルト動きパラメータを決定することが、前記デフォルト動きパラメータを、前記現在ＰＵとコロケートされた、前記現在ＰＵと同じサイズを有する、前記参照ピクチャ中にある参照ブロックのピクセルをカバーするブロックに関連付けられた動きパラメータに設定することを備える
Ｃ１４に記載の方法。
［Ｃ１８］
前記ピクセルが前記参照ブロックの中心ピクセルである、Ｃ１７に記載の方法。
［Ｃ１９］
ＰＵレベル動きベクトル候補に基づいて、空間マージ候補を前記候補リスト中に含めるかどうかを決定することをさらに備え、ここにおいて、前記ＰＵレベル動きベクトル候補は、前記デフォルト動きパラメータと同じ動きパラメータを指定する、Ｃ１４に記載の方法。
［Ｃ２０］
前記デフォルト動きパラメータがデフォルト動きベクトルとデフォルト参照インデックスとを含み、
前記デフォルト動きパラメータを決定することが、
デフォルト動きベクトルをゼロ動きベクトルに設定することと、
前記デフォルト参照インデックスを、０、または現在参照ピクチャリスト中の第１の利用可能な時間的参照ピクチャに設定することと
を備える、Ｃ１４に記載の方法。
［Ｃ２１］
前記デフォルト動きパラメータを決定することが、前記複数のサブＰＵのラスタ走査順序で前記第１のサブＰＵが利用可能な動きパラメータを有すると決定することに応答して、前記デフォルト動きパラメータを前記複数のサブＰＵの前記ラスタ走査順序で前記第１のサブＰＵの前記利用可能な動きパラメータに設定することを備える、Ｃ１４に記載の方法。
［Ｃ２２］
前記デフォルト動きパラメータを決定することが、前記それぞれのサブＰＵを含むサブＰＵの行の前記第１のサブＰＵが利用可能な動きパラメータを有すると決定することに応答して、前記デフォルト動きパラメータを、前記それぞれのサブＰＵを含むサブＰＵの前記行の前記第１のサブＰＵの前記利用可能な動きパラメータに設定することを備える、Ｃ１４に記載の方法。
［Ｃ２３］
前記デフォルト動きパラメータが前記複数のサブＰＵ中の各サブＰＵに関して同じである、Ｃ１４に記載の方法。
［Ｃ２４］
前記デフォルト動きパラメータを決定することが、
前記現在ＰＵの予測ブロックと同じサイズを有する、前記参照ピクチャ中の参照ブロックを決定することと、
前記参照ブロックのサブＰＵの中から、前記参照ブロックの中心ピクセルに最も近いサブＰＵを決定することと、
前記参照ブロックの前記決定されたサブＰＵの動きパラメータから前記デフォルト動きパラメータを導出することとを備える、Ｃ１４に記載の方法。
［Ｃ２５］
前記参照ブロックの前記サブＰＵの各々のサイズが２U×２Uであり、前記参照ブロックの前記中心ピクセルに最も近い前記サブＰＵが、前記参照ブロックの左上サンプルに対して次の座標、（（（ｎＰＳＷ＞＞（ｕ＋１））−１）＜＜ｕ，（（（ｎＰＳＨ＞＞（ｕ＋１））−１）＜＜ｕ）を有するピクセルを含み、ここにおいて、ｎＰＳＷはピクセル中の前記参照ブロックの幅を示し、ｎＰＳＨはピクセル中の前記参照ブロックの高さを示す、Ｃ２４に記載の方法。
［Ｃ２６］
前記参照ブロックの前記サブＰＵの各々のサイズが２U×２Uであり、前記参照ブロックの前記中心ピクセルに最も近い前記サブＰＵが、前記参照ブロックの左上サンプルに対して次の座標、（（ｎＰＳＷ＞＞（ｕ＋１））＜＜ｕ，（ｎＰＳＨ＞＞（ｕ＋１））＜＜ｕ）を有するピクセルを含み、ここにおいて、ｎＰＳＷはピクセル中の前記参照ブロックの幅を示し、ｎＰＳＨはピクセル中の前記参照ブロックの高さを示す、Ｃ２４に記載の方法。
［Ｃ２７］
ビデオデータをコーディングするためのデバイスであって、
復号ピクチャを記憶するためのメモリと、
１つまたは複数のプロセッサであって、
現在予測ユニット（ＰＵ）を複数のサブＰＵに分割することと、ここにおいて、前記現在ＰＵは現在ピクチャ中にある、
デフォルト動きパラメータを決定することと、
前記複数のサブＰＵからのサブＰＵを特定の順序で処理することと、
ここにおいて、前記複数のサブＰＵからの各それぞれのサブＰＵに関して、前記それぞれのサブＰＵのための参照ブロックが動き補償予測を使用してコーディングされない場合、前記順序の任意の後のサブＰＵのための参照ブロックは動き補償予測を使用してコーディングされるという後続の決定に応答して、前記それぞれのサブＰＵの前記動きパラメータは設定されない、ここにおいて、前記サブＰＵのうちの少なくとも１つのための参照ブロックは動き補償予測を使用してコーディングされない、ここにおいて、前記サブＰＵを処理することは、前記複数のサブＰＵからの各それぞれのサブＰＵに関して、
前記それぞれのサブＰＵのための参照ブロックを決定することと、ここにおいて、参照ピクチャは前記それぞれのサブＰＵのための前記参照ブロックを含む、
前記それぞれのサブＰＵのための前記参照ブロックが動き補償予測を使用してコーディングされる場合、前記それぞれのサブＰＵのための前記参照ブロックの動きパラメータに基づいて、前記それぞれのサブＰＵの動きパラメータを設定することと、
前記それぞれのサブＰＵのための前記参照ブロックが動き補償予測を使用してコーディングされない場合、前記それぞれのサブＰＵの前記動きパラメータを前記デフォルト動きパラメータに設定することとを備える、
前記現在ＰＵの候補リスト中に候補を含めることと、ここにおいて、前記候補は前記複数のサブＰＵの前記動きパラメータに基づく
を行うように構成された、１つまたは複数のプロセッサとを備える、デバイス。
［Ｃ２８］
前記参照ピクチャが前記現在ピクチャとは異なるビュー中にあり、
前記１つまたは複数のプロセッサが、前記現在ＰＵの視差ベクトルに基づいて前記参照ピクチャ中の参照サンプルロケーションを決定するように構成され、ここにおいて、前記それぞれのサブＰＵのための前記参照ブロックは前記参照サンプルロケーションをカバーするＣ２７に記載のデバイス。
［Ｃ２９］
前記現在ピクチャが深度ビューコンポーネントであり、前記参照ピクチャが、前記現在ピクチャと同じビューおよびアクセスユニット中のテクスチャビューコンポーネントであり、
前記１つまたは複数のプロセッサが、前記それぞれのサブＰＵのための前記参照ブロックが前記それぞれのサブＰＵとコロケートされた、前記参照ピクチャのＰＵであると決定するように構成される
Ｃ２７に記載のデバイス。
［Ｃ３０］
前記現在ピクチャが深度ビューコンポーネントであり、前記参照ピクチャが、前記現在ピクチャと同じビューおよびアクセスユニット中のテクスチャビューコンポーネントであり、
前記１つまたは複数のプロセッサが、前記デフォルト動きパラメータを、前記現在ＰＵとコロケートされた、前記現在ＰＵと同じサイズを有する、前記参照ピクチャ中にある参照ブロックのピクセルをカバーするブロックに関連付けられた動きパラメータに設定するように構成される
Ｃ２９に記載のデバイス。
［Ｃ３１］
前記ピクセルが前記参照ブロックの中心ピクセルである、Ｃ３０に記載のデバイス。
［Ｃ３２］
前記１つまたは複数のプロセッサが、ＰＵレベル動きベクトル候補に基づいて、空間マージ候補を前記候補リスト中に含めるかどうかを決定するように構成され、ここにおいて、前記ＰＵレベル動きベクトル候補は、前記デフォルト動きパラメータと同じ動きパラメータを指定する、Ｃ２７に記載のデバイス。
［Ｃ３３］
前記デフォルト動きパラメータがデフォルト動きベクトルとデフォルト参照インデックスとを含み、
前記１つまたは複数のプロセッサが、少なくとも部分的に、
デフォルト動きベクトルをゼロ動きベクトルに設定することと、
前記デフォルト参照インデックスを、０、または現在参照ピクチャリスト中の第１の利用可能な時間的参照ピクチャに設定することとによって前記デフォルト動きパラメータを決定するように構成される
Ｃ２７に記載のデバイス。
［Ｃ３４］
前記１つまたは複数のプロセッサが、前記複数のサブＰＵのラスタ走査順序で前記第１のサブＰＵが利用可能な動きパラメータを有すると決定することに応答して、前記１つまたは複数のプロセッサが、前記デフォルト動きパラメータを、前記複数のサブＰＵの前記ラスタ走査順序で前記第１のサブＰＵの前記利用可能な動きパラメータに設定するように構成される、Ｃ２７に記載のデバイス。
［Ｃ３５］
前記１つまたは複数のプロセッサが、前記それぞれのサブＰＵを含むサブＰＵの行の前記第１のサブＰＵが利用可能な動きパラメータを有すると決定することに応答して、前記１つまたは複数のプロセッサが、前記デフォルト動きパラメータを、前記それぞれのサブＰＵを含むサブＰＵの前記行の前記第１のサブＰＵの前記利用可能な動きパラメータに設定するように構成される、Ｃ２７に記載のデバイス。
［Ｃ３６］
前記デフォルト動きパラメータが前記複数のサブＰＵ中の各サブＰＵに関して同じである、Ｃ２７に記載のデバイス。
［Ｃ３７］
前記１つまたは複数のプロセッサが、
前記現在ＰＵの予測ブロックと同じサイズを有する、前記参照ピクチャ中の参照ブロックを決定することと、
前記参照ブロックのサブＰＵの中から、前記参照ブロックの中心ピクセルに最も近いサブＰＵを決定することと、
前記参照ブロックの前記決定されたサブＰＵの動きパラメータから前記デフォルト動きパラメータを導出することとを行うように構成される、Ｃ２７に記載のデバイス。
［Ｃ３８］
前記参照ブロックの前記サブＰＵの各々のサイズが２U×２Uであり、前記参照ブロックの前記中心ピクセルに最も近い前記サブＰＵが、前記参照ブロックの左上サンプルに対して次の座標、（（（ｎＰＳＷ＞＞（ｕ＋１））−１）＜＜ｕ，（（（ｎＰＳＨ＞＞（ｕ＋１））−１）＜＜ｕ）を有するピクセルを含み、ここにおいて、ｎＰＳＷはピクセル中の前記参照ブロックの幅を示し、ｎＰＳＨはピクセル中の前記参照ブロックの高さを示す、Ｃ３７に記載のデバイス。
［Ｃ３９］
前記参照ブロックの前記サブＰＵの各々のサイズが２U×２Uであり、前記参照ブロックの前記中心ピクセルに最も近い前記サブＰＵが、前記参照ブロックの左上サンプルに対して次の座標、（（ｎＰＳＷ＞＞（ｕ＋１））＜＜ｕ，（ｎＰＳＨ＞＞（ｕ＋１））＜＜ｕ）を有するピクセルを含み、ここにおいて、ｎＰＳＷはピクセル中の前記参照ブロックの幅を示し、ｎＰＳＨはピクセル中の前記参照ブロックの高さを示す、Ｃ３７に記載のデバイス。
［Ｃ４０］
前記１つまたは複数のプロセッサが、
前記候補リスト中の選択された候補を示すシンタックス要素をビットストリームから取得することと、
前記現在ＰＵのための予測ブロックを再構成するために、前記選択された候補の動きパラメータを使用することとを行うようにさらに構成される、Ｃ２７に記載のデバイス。
［Ｃ４１］
前記１つまたは複数のプロセッサが、前記候補リスト中の選択された候補を示すシンタックス要素をビットストリーム内でシグナリングするように構成される、Ｃ２７に記載のデバイス。
［Ｃ４２］
ビデオデータをコーディングするためのデバイスであって、
現在予測ユニット（ＰＵ）を複数のサブＰＵに分割するための手段と、ここにおいて、前記現在ＰＵは現在ピクチャ中にある、
デフォルト動きパラメータを決定するための手段と、
前記複数のサブＰＵからのサブＰＵを特定の順序で処理するための手段と、ここにおいて、前記複数のサブＰＵからの各それぞれのサブＰＵに関して、前記それぞれのサブＰＵのための参照ブロックが動き補償予測を使用してコーディングされない場合、前記順序の任意の後のサブＰＵのための参照ブロックは動き補償予測を使用してコーディングされるという後続の決定に応答して、前記それぞれのサブＰＵの前記動きパラメータは設定されない、ここにおいて、前記サブＰＵのうちの少なくとも１つのための参照ブロックは動き補償予測を使用してコーディングされない、ここにおいて、前記サブＰＵを処理するための前記手段は、前記複数のサブＰＵからの各それぞれのサブＰＵに関して、
前記それぞれのサブＰＵのための参照ブロックを決定するための手段と、ここにおいて、参照ピクチャは前記それぞれのサブＰＵのための前記参照ブロックを含む、
前記それぞれのサブＰＵのための前記参照ブロックが動き補償予測を使用してコーディングされる場合、前記それぞれのサブＰＵのための前記参照ブロックの動きパラメータに基づいて、前記それぞれのサブＰＵの動きパラメータを設定するための手段と、
前記それぞれのサブＰＵのための前記参照ブロックが動き補償予測を使用してコーディングされない場合、前記それぞれのサブＰＵの前記動きパラメータを前記デフォルト動きパラメータに設定するための手段とを備える、
前記現在ＰＵの候補リスト中に候補を含めるための手段と、ここにおいて、前記候補は前記複数のサブＰＵの前記動きパラメータに基づくを備える、デバイス。
［Ｃ４３］
実行されると、デバイスに、
現在予測ユニット（ＰＵ）を複数のサブＰＵに分割することと、ここにおいて、前記現在ＰＵは現在ピクチャ中にある、
デフォルト動きパラメータを決定することと、
前記複数のサブＰＵからのサブＰＵを特定の順序で処理することと、
ここにおいて、前記複数のサブＰＵからの各それぞれのサブＰＵに関して、前記それぞれのサブＰＵのための参照ブロックが動き補償予測を使用してコーディングされない場合、前記順序の任意の後のサブＰＵのための参照ブロックは動き補償予測を使用してコーディングされるという後続の決定に応答して、前記それぞれのサブＰＵの前記動きパラメータは設定されない、ここにおいて、前記サブＰＵのうちの少なくとも１つのための参照ブロックは動き補償予測を使用してコーディングされない、ここにおいて、前記サブＰＵを処理することは、前記複数のサブＰＵからの各それぞれのサブＰＵに関して、
前記それぞれのサブＰＵのための参照ブロックを決定することと、ここにおいて、参照ピクチャは前記それぞれのサブＰＵのための前記参照ブロックを含む、
前記それぞれのサブＰＵのための前記参照ブロックが動き補償予測を使用してコーディングされる場合、前記それぞれのサブＰＵのための前記参照ブロックの動きパラメータに基づいて、前記それぞれのサブＰＵの動きパラメータを設定することと、
前記それぞれのサブＰＵのための前記参照ブロックが動き補償予測を使用してコーディングされない場合、前記それぞれのサブＰＵの前記動きパラメータを前記デフォルト動きパラメータに設定することとを備える、
前記現在ＰＵの候補リスト中に候補を含めることと、ここにおいて、前記候補は前記複数のサブＰＵの前記動きパラメータに基づくを行わせる命令を記憶した、非一時的コンピュータ可読データ記憶媒体。